(57)【要約】【課題】ホームネットワークにおいて、侵入者による物色行為や逃走行為の実行を困難とし、被害の最小化や犯人逮捕の可能性の向上を図ることを課題とする。【解決手段】家屋内に設置されたセンサ類２により、侵入者を検知すると侵入者の検知をホームサーバ１に通知して、このホームサーバ１により、侵入者が存在する場所、あるいは、侵入者が存在する場所に隣接する隣接場所の電源を落とす。【選択図】図６
2008276354.tif 000002
【特許請求の範囲】
【請求項１】
ホームネットワークシステムにおいて、
家屋内に設置されたセンサ類により、侵入者を検知すると侵入者の検知をホームサーバに通知するステップと、
当該ホームサーバにより、侵入者が存在する場所、あるいは、侵入者が存在する場所に隣接する隣接場所の電源を落とすステップと、
を有することを特徴とするホームネットワークシステムにおける防犯方法。
【請求項２】
ホームネットワークシステムにおいて、
家屋内に設置されたセンサ類により、侵入者を検知すると侵入者の検知をホームサーバに通知するステップと、
当該ホームサーバにより、侵入者が存在する場所、あるいは、侵入者が存在する場所に隣接する隣接場所の照明機器を消灯する、あるいは、徐々に明るくする、あるいは、暗くするステップと、
を有することを特徴とするホームネットワークシステムにおける防犯方法。
【請求項３】
ホームネットワークシステムにおいて、
室内に設置されたセンサ類により、侵入者を検知すると侵入者の検知をホームサーバに通知するステップと、
当該ホームサーバにより、侵入者が存在する場所、あるいは、侵入者が存在する場所に隣接する隣接場所の開閉場所の遮断装置を閉めるステップと、
を有することを特徴とするホームネットワークシステムにおける防犯方法。
【請求項４】
請求項２に記載のホームネットワークシステムにおける防犯方法において、請求項３に記載のステップも同時に行うことを特徴とするホームネットワークシステムにおける防犯方法。
【請求項５】
請求項３に記載のホームネットワークシステムにおける防犯方法において、請求項３に記載のステップを実行した後、請求項１に記載のステップを行うことを特徴とするホームネットワークシステムにおける防犯方法。
【請求項６】
オフィスネットワークにおいても、請求項１乃至５のいずれか１項に記載のステップを行うことを特徴とするオフィスネットワークシステムにおける防犯方法。
【請求項７】
ホームネットワークシステムにおいて、
家屋内に設置されたセンサ類が、侵入者を検知すると侵入者の検知をホームサーバに通知する手段を有し、
当該ホームサーバが、侵入者が存在する場所、あるいは、侵入者が存在する場所に隣接する隣接場所の電源を落とす手段を有することを特徴とするホームネットワークシステム。
【請求項８】
ホームネットワークシステムにおいて、
家屋内に設置されたセンサ類が、侵入者を検知すると侵入者の検知をホームサーバに通知する手段を有し、
当該ホームサーバが、侵入者が存在する場所、あるいは、侵入者が存在する場所に隣接する隣接場所の照明機器を消灯する、あるいは、徐々に明るくする、あるいは、暗くする手段を有することを特徴とするホームネットワークシステム。
【請求項９】
ホームネットワークシステムにおいて、
室内に設置されたセンサ類が、侵入者を検知すると侵入者の検知をホームサーバに通知する手段を有し、
当該ホームサーバが、侵入者が存在する場所、あるいは、侵入者が存在する場所に隣接する隣接場所の開閉場所の遮断装置を閉める手段を有することを特徴とするホームネットワークシステム。
【発明の詳細な説明】
【技術分野】
【０００１】
本発明は、ホームネットワークシステム、特に、ホームネットワークシステムにおける防犯方法に関するものである。
【背景技術】
【０００２】
従来のホームネットワークシステムでは、センサ類が、侵入者を検知した場合、サイレン等の警告音や威嚇音を発する、あるいは、監視カメラで撮影していた（非特許文献１参照）。
【非特許文献１】竹中エンジニアリング株式会社、“システム事例（一戸建住宅）”、［online］、［平成１９年４月２０日］、インターネット＜URL：http://www.takex-eng.co.jp/system/system.php?sub_page=house＞
【発明の開示】
【発明が解決しようとする課題】
【０００３】
しかしながら、従来のホームネットワークシステムでは、侵入者が居室等に侵入した場合、センサ類が侵入を検知して、サイレン等の警告音や威嚇音を発する、あるいは、監視カメラで撮影する程度の対策であるため、警告音や威嚇音に怯まない侵入者、あるいは、覆面をしている侵入者の場合には、居室内の物色が可能であり、また、居室等に侵入した侵入者の逃走も容易であった。
【０００４】
本発明は、上記に鑑みてなされたものであり、その課題とするところは、ホームネットワークにおいて、侵入者による物色行為や逃走行為の実行を困難とし、被害の最小化や犯人逮捕の可能性の向上を図ることにある。
【課題を解決するための手段】
【０００５】
請求項１に記載のホームネットワークシステムにおける防犯方法は、ホームネットワークシステムにおいて、家屋内に設置されたセンサ類により、侵入者を検知すると侵入者の検知をホームサーバに通知するステップと、当該ホームサーバにより、侵入者が存在する場所、あるいは、侵入者が存在する場所に隣接する隣接場所の電源を落とすステップと、を有することを要旨とする。
【０００６】
本発明にあっては、ホームネットワークシステムにおいて、家屋内に設置されたセンサ類により、侵入者を検知すると侵入者の検知をホームサーバに通知し、当該ホームサーバにより、侵入者が存在する場所、あるいは、侵入者が存在する場所に隣接する隣接場所の電源を落とすため、侵入者による物色行為や逃走行為の実行を困難とし、被害の最小化や犯人逮捕の可能性の向上を図ることができる。
【０００７】
請求項２に記載のホームネットワークシステムにおける防犯方法は、ホームネットワークシステムにおいて、家屋内に設置されたセンサ類により、侵入者を検知すると侵入者の検知をホームサーバに通知するステップと、当該ホームサーバにより、侵入者が存在する場所、あるいは、侵入者が存在する場所に隣接する隣接場所の照明機器を消灯する、あるいは、徐々に明るくする、あるいは、暗くするステップと、を有することを要旨とする。
【０００８】
本発明にあっては、ホームネットワークシステムにおいて、家屋内に設置されたセンサ類により、侵入者を検知すると侵入者の検知をホームサーバに通知し、当該ホームサーバにより、侵入者が存在する場所、あるいは、侵入者が存在する場所に隣接する隣接場所の照明機器を消灯する、あるいは、徐々に明るくする、あるいは、暗くするため、侵入者による物色行為や逃走行為の実行を困難とし、被害の最小化や犯人逮捕の可能性の向上を図ることができる。
【０００９】
請求項３に記載のホームネットワークシステムにおける防犯方法は、ホームネットワークシステムにおいて、室内に設置されたセンサ類により、侵入者を検知すると侵入者の検知をホームサーバに通知するステップと、当該ホームサーバにより、侵入者が存在する場所、あるいは、侵入者が存在する場所に隣接する隣接場所の開閉場所の遮断装置を閉めるステップと、を有することを要旨とする。
【００１０】
本発明にあっては、ホームネットワークシステムにおいて、室内に設置されたセンサ類により、侵入者を検知すると侵入者の検知をホームサーバに通知し、当該ホームサーバにより、侵入者が存在する場所、あるいは、侵入者が存在する場所に隣接する隣接場所の開閉場所の遮断装置を閉めるため、侵入者による物色行為や逃走行為の実行を困難とし、被害の最小化や犯人逮捕の可能性の向上を図ることができる。
【００１１】
請求項４に記載のホームネットワークシステムにおける防犯方法は、請求項２に記載のホームネットワークシステムにおける防犯方法において、請求項３に記載のステップも同時に行うことを要旨とする。
【００１２】
請求項５に記載のホームネットワークシステムにおける防犯方法は、請求項３に記載のホームネットワークシステムにおける防犯方法において、請求項３に記載のステップを実行した後、請求項１に記載のステップを行うことを要旨とする。
【００１３】
請求項６に記載のオフィスネットワークシステムにおける防犯方法は、請求項１乃至５のいずれか１項に記載のステップを行うことを要旨とする。
【００１４】
請求項７に記載のホームネットワークシステムは、ホームネットワークシステムにおいて、家屋内に設置されたセンサ類が、侵入者を検知すると侵入者の検知をホームサーバに通知する手段を有し、当該ホームサーバが、侵入者が存在する場所、あるいは、侵入者が存在する場所に隣接する隣接場所の電源を落とす手段を有することを要旨とする。
【００１５】
請求項８に記載のホームネットワークシステムは、ホームネットワークシステムにおいて、家屋内に設置されたセンサ類が、侵入者を検知すると侵入者の検知をホームサーバに通知する手段を有し、当該ホームサーバが、侵入者が存在する場所、あるいは、侵入者が存在する場所に隣接する隣接場所の照明機器を消灯する、あるいは、徐々に明るくする、あるいは、暗くする手段を有することを要旨とする。
【００１６】
請求項９に記載のホームネットワークシステムは、ホームネットワークシステムにおいて、室内に設置されたセンサ類が、侵入者を検知すると侵入者の検知をホームサーバに通知する手段を有し、当該ホームサーバが、侵入者が存在する場所、あるいは、侵入者が存在する場所に隣接する隣接場所の開閉場所の遮断装置を閉める手段を有することを要旨とする。
【発明の効果】
【００１７】
本発明によれば、ホームネットワークにおいて、侵入者による物色行為や逃走行為の実行が困難になり、被害の最小化や犯人逮捕の可能性の向上を図ることができる。
【発明を実施するための最良の形態】
【００１８】
以下、本発明の実施形態例を図面により詳細に説明する。
【００１９】
本発明を実現するためのシステム構成例を図１に示す。ホームネットワークシステムは、ホームサーバ１を中核として、センサ類２、電源制御装置３、照明機器４等の電気機器、遮断装置５、等が無線あるいは有線のホームネットワーク６で接続されている。また、センサ類２とは、例えば、人感センサ、ガラス破壊センサ、監視カメラ等、侵入者の侵入を検知する装置のことである。更に、後述する侵入者が存在する場所とは、居室、廊下、玄関、トイレ、風呂等のことである。そして、遮断装置５とは、例えば、カーテン、窓、扉、引き戸、シャッター等のことであり、これらは、ホームサーバ１から開閉の制御が可能（例えば、電動式）なものである。
【００２０】
本発明の実施例を実現するためのホームサーバ１の構成例をそれぞれ図２に示す。ホームサーバ１は、ネットワーク制御部１１と、制御部１２と、場所特定部１３と、電源位置管理部１４と、照明機器管理部１５と、開閉場所管理部１６と、を備えた構成である。
【００２１】
第１の実施例として、家屋内に設置されたセンサ類２が、侵入者を検知すると侵入者の検知をホームサーバ１に通知し、ホームサーバ１は侵入者が存在する場所及び侵入者が存在する場所に隣接する隣接場所の電源を落とす場合の実施例について示す。
【００２２】
室内に設置されたセンサ類２が、侵入者を検知すると侵入者の検知をホームサーバ１に通知する。ホームサーバ１では、ネットワーク制御部１１は、通知のあったセンサ類２が存在する場所の特定に当たって、通知したセンサ類２が無線で接続されている場合には制御部１２に、当該無線の周波数を通知する。制御部１２は、当該無線の周波数を場所特定部１３に通知する。場所特定部１３は、当該無線の周波数を元に通報場所管理情報を参照して通報場所を抽出するとともに、通報場所を元に隣接場所管理情報を参照して隣接場所を抽出し、当該通報場所及び当該隣接場所を制御部１２に通知する。制御部１２は、当該場所及び当該隣接場所を電源位置管理部１４に通知する。電源位置管理部１４は、当該場所及び当該隣接場所を元に電源位置管理情報を参照して対応する電源位置を抽出し、当該電源位置を制御部１２に通知する。制御ブラウザは、当該電源位置の電源を落とすようにネットワーク制御部１１を経由して電源制御装置３に指示する。電源制御装置３は、当該電源位置の電源を落とす。ここで、通報場所管理情報、隣接場所管理情報、及び、電源位置管理情報の構成例を、それぞれ、図３、図４、及び、図５に示す。
【００２３】
上記において、ネットワーク制御部１１は、通知したセンサ類２が有線で接続されている場合には、ホームネットワーク６に収容されているアドレスから通報場所を特定し、以下の処理は、上記と同様に行う。
【００２４】
ここで、ホームサーバ１は、侵入者が存在する場所の電源を落とす場合は、上記で抽出された通報場所の電源を落とすことにより実現できる。また、侵入者が存在する場所に隣接する場所の電源を落とす場合は、上記で抽出された隣接場所の電源を落とすことにより実現できる。
【００２５】
防犯処理に関するフローチャートの例を図６に示す。
【００２６】
第２の実施例として、ホームネットワークシステムにおいて、家屋内に設置されたセンサ類２が、侵入者を検知すると侵入者の検知をホームサーバ１に通知し、ホームサーバ１は侵入者が存在する場所及び侵入者が存在する場所に隣接する隣接場所の照明機器４を消灯する、あるいは、徐々に明るくする、あるいは、暗くする場合の実施例について示す。
【００２７】
ホームサーバ１では、第１の実施例と同様に、当該場所及び当該場所に隣接する隣接場所を抽出し、制御部１２は、当該場所及び当該隣接場所を照明機器管理部１５に通知する。照明機器管理部１５は、当該場所及び当該隣接場所を元に照明機器管理情報を参照して対象となる照明機器４を抽出して、当該照明機器を制御部１２に通知する。制御部１２は、ネットワーク制御部１１を経由して、消灯するよう当該照明機器４に指示する。照明機器４は、照明を消灯する。ここで、照明機器管理情報の構成例を図７に示す。
【００２８】
また、徐々に明るくする、あるいは、暗くする場合は、ホームサーバ１では、制御部１２は、ネットワーク制御部１１を経由して当該照明機器４に徐々に明るくする、あるいは、暗くするよう指示を出す。当該照明機器４は、徐々に明るくする、あるいは、暗くする。
【００２９】
ここで、ホームサーバ１は、侵入者が存在する場所の照明機器４を消灯する、あるいは、徐々に明るくする、あるいは、暗くする場合は、上記で抽出された通報場所の照明機器４を消灯する、あるいは、徐々に明るくする、あるいは、暗くすることにより実現できる。また、侵入者が存在する場所に隣接する隣接場所の照明機器４を消灯する、あるいは、徐々に明るくする、あるいは、暗くする場合は、上記で抽出された隣接場所の照明機器を消灯する、あるいは、徐々に明るくする、あるいは、暗くすることにより実現できる。
【００３０】
第３の実施例として、室内に設置されたセンサ類２が、侵入者を検知すると侵入者の検知をホームサーバ１に通知し、ホームサーバ１は侵入者が存在する場所及び侵入者が存在する場所に隣接する隣接場所の開閉場所の遮断装置５を閉める場合の実施例について示す。
【００３１】
ホームサーバ１は、第１の実施例と同様に、当該場所及び当該場所に隣接する隣接場所を抽出し、制御部１２は、当該場所及び当該隣接場所を開閉場所管理部１６に通知する。開閉場所管理部１６は、当該場所及び当該隣接場所を元に遮断装置管理情報を参照して、対象となる遮断装置５を抽出して当該遮断装置５を制御部１２に通知する。制御部１２は、ネットワーク制御部１１を経由して閉鎖を遮断装置５に指示する。遮断装置５は、閉鎖する。ここで、遮断装置管理情報の構成例を図８に示す。
【００３２】
ここで、ホームサーバ１は、侵入者が存在する場所の開閉場所の遮断装置５を閉める場合は、上記で抽出された通報場所の開閉場所の遮断装置５を閉めることにより実現できる。また、侵入者が存在する場所に隣接する隣接場所の開閉場所の遮断装置を閉める場合は、上記で抽出された隣接場所の開閉場所の遮断装置を閉めることにより実現できる。
【００３３】
第４の実施例として、第２の実施例に記載の処理と第３の実施例に記載の処理を同時に行う場合の実施例について示す。
【００３４】
ホームサーバ１では、第２の実施例及び第３の実施例に記載の照明機器４に関する処理と遮断装置５に関する処理を並列的に実行することにより実現できる。
【００３５】
第５の実施例として、第３の実施例に記載の処理を実行後、第１の実施例に記載の処理を行う場合の実施例について示す。
【００３６】
第３の実施例に記載の処理を実行後、第１の実施例に記載の電源を落とす処理を行うことにより、実現できる。
【００３７】
第６の実施例として、第１〜第５の実施例を有するオフィスネットワークの場合の実施例について示す。
【００３８】
第１〜第５の実施例と同様の構成を持つオフィスネットワークにおいて、第１〜第５の実施例と同様の処理を行うことにより実現できる。
【００３９】
本実施の形態によれば、ホームネットワークシステムにおいて、家屋内に設置されたセンサ類により、侵入者を検知すると侵入者の検知をホームサーバに通知し、当該ホームサーバにより、侵入者が存在する場所、あるいは、侵入者が存在する場所に隣接する隣接場所の電源を落とすので、侵入者による物色行為や逃走行為の実行を困難とし、被害の最小化や犯人逮捕の可能性の向上を図ることができる。
【００４０】
本実施の形態によれば、ホームネットワークシステムにおいて、家屋内に設置されたセンサ類により、侵入者を検知すると侵入者の検知をホームサーバに通知し、当該ホームサーバにより、侵入者が存在する場所、あるいは、侵入者が存在する場所に隣接する隣接場所の照明機器を消灯する、あるいは、徐々に明るくする、あるいは、暗くするので、侵入者による物色行為や逃走行為の実行を困難とし、被害の最小化や犯人逮捕の可能性の向上を図ることができる。
【００４１】
本実施の形態によれば、ホームネットワークシステムにおいて、室内に設置されたセンサ類により、侵入者を検知すると侵入者の検知をホームサーバに通知し、当該ホームサーバにより、侵入者が存在する場所、あるいは、侵入者が存在する場所に隣接する隣接場所の開閉場所の遮断装置を閉めるので、侵入者による物色行為や逃走行為の実行を困難とし、被害の最小化や犯人逮捕の可能性の向上を図ることができる。
【図面の簡単な説明】
【００４２】
【図１】本発明を実現するためのシステムの構成例を示す図である。
【図２】ホームサーバの構成例を示す図である。
【図３】通報場所管理情報の構成例を示す図である。
【図４】隣接場所管理情報の構成例を示す図である。
【図５】電源位置管理情報の構成例を示す図である。
【図６】ホームサーバにおける防犯処理に関するフローチャートの例を示す図である。
【図７】照明機器管理情報の構成例を示す図である。
【図８】遮断装置管理情報の構成例を示す図である。
【符号の説明】
【００４３】
１…ホームサーバ
２…センサ類
３…電源制御装置
４…照明機器
５…遮断装置
６…ホームネットワーク
１１…ネットワーク制御部
１２…制御部
１３…場所特定部
１４…電源位置管理部
１５…照明機器管理部
１６…開閉場所管理部
【図１】
2008276354.tif 000003
【図２】
2008276354.tif 000004
【図３】
2008276354.tif 000005
【図４】
2008276354.tif 000006
【図５】
2008276354.tif 000007
【図６】
2008276354.tif 000008
【図７】
2008276354.tif 000009
【図８】
2008276354.tif 000010